(57)【要約】【課題】複数のネイルカラーを組み合わせた配色デザインの多様なネイルデザインを可能にするネイルデザイン方法を提供する。【解決手段】  ネイルデザイン方法として、塗布するネイルカラーが属するカラーグループを決定するグループ決定ステップ（Ｓ１）と、前記カラーグループから配色デザインに用いる複数のネイルカラーを選び出すカラー選択ステップ（Ｓ２）とを含んで構成される。カラー選択ステップ（Ｓ２）では、少なくともベースカラーとサブカラーとを選択ルールに基づいて選び出し、ベースカラーをサブカラーよりも大きい面積比で配色した配色デザインとする。【選択図】図１
2020191997.tif 000002
【特許請求の範囲】
【請求項１】
複数のネイルカラーを組み合わせる配色デザインのネイルデザイン方法であって、
塗布するネイルカラーが属するカラーグループを決定するグループ決定ステップと、
前記カラーグループから前記配色デザインに用いる複数のネイルカラーを選び出すカラー選択ステップとを含み、
前記カラー選択ステップでは、前記配色デザインのベースを構成するベースカラーと、前記ベースカラーとともに用いるサブカラーとを選ぶとともに、前記サブカラーを前記ベースカラーに対する選択ルールに基づいて選び出し、
前記配色デザインとして、前記ベースカラーを前記サブカラーよりも大きい面積比で配色することを特徴とするネイルデザイン方法。
【請求項２】
請求項１に記載のネイルデザイン方法において、
前記グループ決定ステップでは、複数のネイルカラーの見本色が示されたシートを複数シート備えるとともに、各シートには同一のトーンについての異なる色相を含むカラーグループが示されたネイルカラーチャートから、１つのカラーグループを決定することを特徴とするネイルデザイン方法。
【請求項３】
請求項２に記載のネイルデザイン方法において、
前記ネイルカラーチャートは、１つのカラーグループに１２色のネイルカラーを有することを特徴とするネイルデザイン方法。
【請求項４】
請求項１〜３のいずれか１つの請求項に記載のネイルデザイン方法において、
前記カラー選択ステップに次いで、さらにアクセントカラーを決定し、
前記配色デザインとして、前記ベースカラー、前記サブカラー、前記アクセントカラーの順に面積比が小さくなるように配色することを特徴とするネイルデザイン方法。
【請求項５】
請求項４に記載のネイルデザイン方法において、
前記面積比は、前記ベースカラーが７０％、前記サブカラーが２５％、前記アクセントカラーが５％とされることを特徴とするネイルデザイン方法。
【請求項６】
請求項１〜５のいずれか１つの請求項に記載のネイルデザイン方法において、
前記カラー選択ステップでは、類似色相配色の選択ルールに基づいて複数のネイルカラーを選択することを特徴とするネイルデザイン方法。
【請求項７】
請求項６に記載のネイルデザイン方法において、
前記類似色相配色の選択ルールは、前記カラーグループの色相環内で互いに３０度の位置関係を有するネイルカラーであることを特徴とするネイルデザイン方法。
【請求項８】
請求項１〜５のいずれか１つの請求項に記載のネイルデザイン方法において、
前記カラー選択ステップでは、補色色相配色の選択ルールに基づいて複数のネイルカラーを選択することを特徴とするネイルデザイン方法。
【請求項９】
請求項８に記載のネイルデザイン方法において、
前記補色色相配色の選択ルールは、前記カラーグループの色相環内で互いに１８０度の位置関係を有するネイルカラーであることを特徴とするネイルデザイン方法。
【請求項１０】
請求項１〜５のいずれか１つの請求項に記載のネイルデザイン方法において、
前記カラー選択ステップでは、対照色相配色の選択ルールに基づいて複数のネイルカラーを選択することを特徴とするネイルデザイン方法。
【請求項１１】
請求項１０に記載のネイルデザイン方法において、
前記対照色相配色の選択ルールは、前記カラーグループの色相環内で互いに１２０度または１５０度の位置関係を有するネイルカラーであることを特徴とするネイルデザイン方法。
【請求項１２】
請求項１〜５のいずれか１つの請求項に記載のネイルデザイン方法において、
前記カラー選択ステップでは、マルチカラー配色の選択ルールに基づいて複数のネイルカラーを選択することを特徴とするネイルデザイン方法。
【請求項１３】
請求項１２に記載のネイルデザイン方法において、
前記マルチカラー配色の選択ルールは、前記カラーグループの色相環内で正多角形の頂点に位置するネイルカラーを選択することを特徴とするネイルデザイン方法。
【請求項１４】
請求項１〜１３のいずれか１つの請求項に記載のネイルデザイン方法において、
前記配色デザインは、１本の指の爪に対してなされることを特徴とするネイルデザイン方法。
【請求項１５】
請求項１〜１３のいずれか１つの請求項に記載のネイルデザイン方法において、
前記配色デザインは、５本または１０本の指の爪に対してなされることを特徴とするネイルデザイン方法。
【発明の詳細な説明】
【技術分野】
【０００１】
本発明は、複数のネイルカラーを用いたネイルデザイン方法に関する。
【背景技術】
【０００２】
手や足の爪を装飾する手法として、マニキュアのほか、光硬化性樹脂を含むネイル剤を用いたジェルネイルもよく知られている。ジェルネイルは、ジェル状のネイル剤を爪に塗布し、光照射によって硬化させて爪に一体化させるもので、マニキュア等のラッカーエナメルに比べて硬く、傷もつきにくい。そのため、ジェルネイルは光沢や発色を長期間保つことができ、爪の保護にも役立つうえ、美しくなった爪に満足感を得られることから広く好まれている。
【０００３】
例えば、特許文献１に開示されるように、ジェルネイルの施術は、爪の表面や爪先の形状を整えた後、ベースジェル、カラージェル、トップジェルの順に各ネイル剤の塗布と硬化とを繰り返して行われる。
【０００４】
どのようなネイルカラーのネイル剤を塗布するかは、ネイルサロン等の専門のネイリスト（施術者）がゲスト（被施術者）から要望を聞き、その都度、数多くあるネイル剤の中から適切なネイルカラーを選び出し、または複数のネイル剤を混合してネイルカラーを作成するのが一般的である。ジェルネイルでは、ネイル剤の特性から、複数のネイルカラーを用いた配色デザインが可能であり、模様やアートを施したり、細かな装飾パーツを装着したりして、多様なネイルデザインとすることが可能である。
【先行技術文献】
【特許文献】
【０００５】
【特許文献１】特開２０１２−２２３３１８号公報
【発明の概要】
【発明が解決しようとする課題】
【０００６】
複数のネイルカラーをどのように組み合わせて配色デザインを構成し、どのようなネイルデザインとするかは、ネイルデザインのサンプルを示すネイルチップや写真等を見て決めるのが一般的である。ところが、そのようなサンプルからの選択では、デザインバリエーションに限界があり、ゲストの満足度も低いものとなってしまう問題点がある。特に、ネイルデザインの主要部分を構成する配色デザインは、仕上がりの印象を大きく左右し、美しいと感じられるかどうかに繋がる重要な要素となる。
【０００７】
トップネイリストと呼ばれるような多くのゲストから支持されるネイリストは、そのようなゲストの要望を満たす配色デザインを形成する技術力を有しており、ネイリストとしては、トップネイリストのような配色デザインのネイルを提供できることが望ましい。しかしながら、そのためには長期間にわたる豊富な経験や優れた感性なども必要となり、誰でもが実現できるものではなかった。
【０００８】
そこで、どのようなネイリストであってもトップネイリストのような支持される配色デザインを短期間で形成できるようになり、多くのゲストに満足感を提供することが可能なネイルデザイン方法を構築することが求められた。
【０００９】
本発明は、上記のような事情にかんがみてなされたものであり、その目的とするところは、豊富な経験や感性などに依ることなく、複数のネイルカラーを組み合わせた美しくバランスの良い配色デザインのネイルデザインを可能にするネイルデザイン方法を提供することにある。
【課題を解決するための手段】
【００１０】
前記の目的を達成するため、本出願人は、トップネイリストと呼ばれる多くのネイリストのネイルデザイン手法を分析し、次のような新たなネイルデザイン方法を構築した。すなわち、本発明における課題解決手段は、複数のネイルカラーを組み合わせた配色デザインのネイルデザイン方法であって、塗布するネイルカラーが属するカラーグループを決定するグループ決定ステップと、前記カラーグループから前記配色デザインに用いる複数のネイルカラーを選び出すカラー選択ステップとを含んで構成される。そして、前記カラー選択ステップでは、前記配色デザインのベースを構成するベースカラーと、前記ベースカラーとともに用いるサブカラーとを選ぶとともに、前記サブカラーを前記ベースカラーに対する選択ルールに基づいて選び出し、前記配色デザインとして、前記ベースカラーを前記サブカラーよりも大きい面積比で配色することを特徴とするものである。
【００１１】
この特定事項により、複数のネイルカラーを用いて施術するネイルデザインとして、まとまりがあり、バランスの取れた美しいと感じられる配色デザインとすることが可能となる。したがって、豊富な経験や感性などに依ることなく、好ましいネイルカラーを好適に組み合わせた配色デザインの多様なネイルデザインを提供することが可能となる。
【発明の効果】
【００１２】
本発明に係るネイルデザイン方法によれば、複数のネイルカラーを組み合わせた配色デザインによる多様なネイルデザインを形成することを可能にする。
【図面の簡単な説明】
【００１３】
【図１】本発明の実施形態に係るネイルデザイン方法の概要を示すフローチャートである。
【図２】前記ネイルデザイン方法に用いるネイルカラーチャートの一例を示す説明図である。
【図３】本発明の実施形態１に係るネイルデザイン方法におけるカラー選択ステップを示す説明図である。
【図４】本発明の実施形態１に係るネイルデザイン方法におけるカラー選択ステップの他の例を示す説明図である。
【図５】前記ネイルデザイン方法における配色デザインの構成を示す説明図である。
【図６】前記実施形態１に係るネイルデザイン方法によりデザインされたネイルの例を示す説明図である。
【図７】本発明の実施形態２に係るネイルデザイン方法におけるカラー選択ステップを示す説明図である。
【図８】前記実施形態２に係るネイルデザイン方法によりデザインされたネイルの例を示す説明図である。
【図９】本発明の実施形態３に係るネイルデザイン方法におけるカラー選択ステップを示す説明図である。
【図１０】本発明の実施形態３に係るネイルデザイン方法におけるカラー選択ステップの他の例を示す説明図である。
【図１１】前記実施形態３に係るネイルデザイン方法によりデザインされたネイルの例を示す説明図である。
【図１２】本発明の実施形態４に係るネイルデザイン方法におけるカラー選択ステップを示す説明図である。
【図１３】本発明の実施形態４に係るネイルデザイン方法におけるカラー選択ステップの他の例を示す説明図である。
【図１４】本発明の実施形態４に係るネイルデザイン方法におけるカラー選択ステップのさらに他の例を示す説明図である。
【図１５】前記実施形態４に係るネイルデザイン方法によりデザインされたネイルの例を示す説明図である。
【発明を実施するための形態】
【００１４】
以下、本発明の実施形態に係るネイルデザイン方法について、図面を参照しつつ説明する。
【００１５】
本発明に係るネイルデザイン方法では、複数のネイルカラーを組み合わせた配色デザインのネイルデザインを行う。図１は、本発明のネイルデザイン方法の概要を示すフローチャートであり、図２は、このネイルデザイン方法に用いることが可能なネイルカラーチャートの一例を示す説明図である。
【００１６】
本発明の実施形態に係るネイルデザイン方法では、光硬化性樹脂を含有するジェルネイル剤を用いてゲストの手または足の爪にネイル施術するときの配色デザインのデザイン方法について説明する。
【００１７】
図１に示すように、実施形態に係るネイルデザイン方法は、爪に塗布されるネイルカラーが属するカラーグループを決定するグループ決定ステップ（Ｓ１）と、決定したカラーグループからネイルカラーを選び出すカラー選択ステップ（Ｓ２、Ｓ３）とを含んで構成される。
【００１８】
グループ決定ステップ（Ｓ１）では、図２（ａ）および図２（ｂ）に示されるようなネイルカラーチャート５０を用いて、複数のカラーグループの中から１つのカラーグループを選び、配色デザインのためのカラーグループを決定する。ネイルカラーチャート５０は、複数のネイルカラーの見本色が示されたシート５１を複数シート備えて束ねて構成されており、各シート５１には同一のトーンについての異なる色相を含むカラーグループが示されている。
【００１９】
ネイルカラーチャート５０に示されているカラーグループは、例えば、ペールトーングループ（ｐａｌｅ）、ライトトーングループ（ｌｉｇｈｔ）、ブライトトーングループ（ｂｒｉｇｔ）、ディープトーングループ（ｄｅｅｐ）、ビビッドトーングループ（ｖｉｖｉｄ）、ソフトトーングループ（ｓｏｆｔ）、グレイッシュトーングループ（ｇｒａｙｉｓｈ）、ダークトーングループ（ｄａｒｋ）、ダルトーングループ（ｄｕｌｌ）、およびストロングトーングループ（ｓｔｒｏｎｇ）などの複数のカラーグループに分類されている。
【００２０】
ネイルカラーチャート５０は、１つのシート５１に、１つのカラーグループについての１２色のネイルカラーを示している。図２（ａ）のシート５１には、ペールトーングループについての１２色のネイルカラーが示されている。図２（ｂ）のシート５１には、ダークトーングループについての１２色（色相）のネイルカラーが示されている。
【００２１】
グループ決定ステップ（Ｓ１）では、ゲストの要望はもちろん、ゲストの肌の色、ファッション、好み、雰囲気などを含めて考慮し、ゲストに似合うネイルカラーを含むカラーグループを選択することが好ましい。ネイルカラーチャート５０には、ネイルカラーの複数の見本色が爪を象った形状にてシート５１の辺縁部に沿って配置されているので、ネイルカラーチャート５０を眺めるだけでなく、シート５１を指先にあてがって爪に重ね合わせながら、好ましいネイルカラーグループを決定することができる。
【００２２】
次いで、カラー選択ステップでは、配色デザインに用いるベースカラーを選び（Ｓ２）、次いで、サブカラーを選び出す（Ｓ３）。その後、ゲストの要望や模様やアート等のデザインに応じてアクセントカラーを選び出す（Ｓ４）。サブカラーは、ベースカラーに対する一定の選択ルールに基づいて選ぶ。アクセントカラーは必ずしも必要となるものではなく、ベースカラーとサブカラーとで配色デザインが構成されてもよい。
【００２３】
次いで、カラー選択ステップで選んだネイルカラーにより配色デザインを決定する（Ｓ５）。配色デザインは、ベースカラーをサブカラーよりも大きい面積比で配色することにより形成される。また、この配色デザインのステップ（Ｓ５）において、爪に施すアートの手法を含めてネイルデザインを決定する。
【００２４】
最もシンプルな配色デザインは、ネイルカラーの同系色配色によるものである。すなわち、カラー選択ステップにて、ネイルカラーチャート５０から、同一色相の同一トーンまたは類似トーンであることを選択ルールとしてネイルカラーを選び、ベースカラーおよびサブカラーとして配色する。また、明度や彩度などのトーンを変化させることで、濃淡やニュアンスをつけた配色デザインとすることも可能である。
【００２５】
本発明に係るネイルデザイン方法では、このような配色デザインのほか、以下の各実施形態に示されるような多様な配色デザインが可能であり、それによってトップネイリストのようなネイルデザインを提供することが可能とされる。
【００２６】
（実施形態１）
図３〜図５は、本発明の実施形態１に係るネイルデザイン方法を示しており、図３および図４は、前記ネイルデザイン方法におけるカラー選択ステップを示す説明図であり、図５は、前記ネイルデザイン方法における配色デザインの構成を示す説明図である。また、図６は、実施形態１に係るネイルデザイン方法によりデザインされたネイルの例を示す説明図である。
【００２７】
ネイルデザイン方法において、カラー選択ステップでは、グループ決定ステップ（Ｓ１）にて決定したカラーグループから、配色デザインに用いる複数のネイルカラーとして、ベースカラー２０とサブカラー３０とをそれぞれ選び出す（Ｓ２、Ｓ３）。サブカラー３０は１つであっても複数であってもよい。
【００２８】
図６に示すように、ネイル１０１には、配色デザインのベースとなるベースカラー２０と、ベースカラー２０とともに用いられるサブカラー３０により配色デザインが形成されている。また、図６に示す例では、さらにアクセントカラー４０を用いて配色デザインがなされ、アートを含めたネイルデザインが施されている。
【００２９】
実施形態１に係るネイルデザイン方法では、類似色相配色の選択ルールに基づいて複数のネイルカラーを選択する。類似色相配色の選択ルールは、１つのカラーグループの色相環内で互いに３０度の位置関係を有するネイルカラーを選択することである。
【００３０】
図３に示す例では、グループ決定ステップで、カラーグループをビビッドトーングループ（ｖｉｖｉｄ）に決定する（Ｓ１）。次いで、カラー選択ステップとして、ビビッドトーングループから１つのベースカラー２０を選び出し（Ｓ２）、選び出したベースカラー２０に対して、類似色相配色の選択ルールに基づき、第１のサブカラー３１と第２のサブカラー３２との２つのサブカラー３０を選び出す（Ｓ３）。
【００３１】
ビビッドトーングループの色相環において、第１のサブカラー３１は、ベースカラー２０に対して３０度の位置関係を有する。また、第２のサブカラー３２は、第１のサブカラー３１に対して３０度の位置関係を有する。これらのベースカラー２０およびサブカラー３０（３１、３２）は、ネイルカラーチャート５０では隣り合うネイルカラーに相当する。
【００３２】
アクセントカラー４０には、ベースカラー２０とのコントラストを有するネイルカラーを選択する（Ｓ４）。ベースカラー２０とサブカラー３０とは類似色相であるので、このような場合には、これらのネイルカラーに対してコントラストを有する無彩色のアクセントカラー４０を選択することが好ましい。
【００３３】
また、図４に示す例では、グループ決定ステップで、カラーグループとしてソフトトーングループ（ｓｏｆｔ）に決定し（Ｓ１）、カラー選択ステップでは、ソフトトーングループから１つのベースカラー２０を選び出し（Ｓ２）、類似色相配色の選択ルールに基づいて、２つのサブカラー３０を選び出している（Ｓ３）。
【００３４】
類似色相配色の選択ルールでは、各カラーグループの色相環内で互いに３０度の位置関係を有するネイルカラーであれば、１つのベースカラー２０と、これに対する１つのサブカラー３０とを選択してもよい。また、３つのネイルカラーを選択するとき、図４に示すように、１つのベースカラー２０に対して、２つのサブカラー３０がそれぞれ３０度の位置関係を有して、ベースカラー２０が真ん中に位置する関係であってもよく、ベースカラー２０とサブカラー３０との位置関係は図示する形態には限定されない。
【００３５】
次いで、配色デザインステップで、ベースカラー２０をサブカラー３０よりも大きい面積比で配色する（Ｓ５）。前記のような一定の選択ルールに基づいて選択したネイルカラーは、美しい印象を与える組み合わせとすることができるが、それらのネイルカラーの面積比によっては見え方が変わり、場合によっては、まとまりがなくバランスの良くない配色デザインとなるおそれもある。
【００３６】
そこで、このネイルデザイン方法においては、図５（ａ）および図５（ｂ）に示すように、配色デザインとして、ベースカラー２０、サブカラー３０、アクセントカラー４０の順に、その面積比が小さくなるように配色している。アクセントカラー４０を含まない場合には、ベースカラー２０、サブカラー３０の順に面積比が小さくなるように配色する。
【００３７】
より具体的には、配色デザインは、図５（ａ）に示すように、１本の指の爪に対する面積比によって形成することができる。また、図５（ｂ）に示すように、５本または１０本の指の爪すべてを合わせた面積比により形成することもできる。いずれの場合にも、配色デザインの面積比は、ベースカラー２０が７０％、サブカラー３０が２５％、アクセントカラーが５％とされることが好ましい。
【００３８】
これにより、図６に示されるような、類似色相配色の配色デザインにより構成されるネイルデザインを形成することができる。ネイル１０１は、５本の爪のネイルデザインとして、ベース（地色）として施されたベースカラー２０が５本の爪全体に対して７０％の面積比で構成され、模様やアートとして施されたサブカラー３０が５本の爪全体に対して２５％の面積比で構成されて、配色デザインが形成されている。また、図６に示す例では、さらに５本の爪全体に対して５％の面積比でアクセントカラー４０が施されている。
【００３９】
例えば、ベースカラー２０、サブカラー３０、およびアクセントカラー４０を選択した後、ネイル施術を行う前に、それぞれのネイルカラーをネイルパレットに用意する。その際、ネイルパレット上に、ベースカラー２０を７０％、サブカラー３０を２５％、アクセントカラー４０を５％の割合で用意しておき、それらを塗布および硬化することで、前記面積比による美しい印象の配色デザインを形成することができる。
【００４０】
このような類似色相配色の選択ルールに基づく配色デザインは、同系色配色と同様に、ネイル初心者、ライフスタイルにおいて制限のあるゲスト、またはシンプルなネイルデザインを好むゲストに好適なものとされる。
【００４１】
なお、ネイル施術では、爪にクリア層を形成したのち、ベースカラー２０の塗布と硬化とを、１回または複数回にわたって行い、その後サブカラー３０およびアクセントカラー４０の塗布と硬化とを、１回または複数回にわたって行い、ネイルデザインの主要部分となる配色デザインを形成する。さらに、図６に示すように、ストーンやパール等の宝石様の装飾パーツ６０を配置し、クリアなトップコート層を最表面に形成してネイルデザインが完成する。
【００４２】
（実施形態２）
図７は、本発明の実施形態２に係るネイルデザイン方法におけるカラー選択ステップを示す説明図であり、図８は、実施形態２に係るネイルデザイン方法によりデザインされたネイルの例を示す説明図である。
【００４３】
実施形態２に係るネイルデザイン方法は、カラー選択ステップ（Ｓ２、Ｓ３）におけるネイルカラーの選択ルールが実施形態１とは異なり、その他の基本構成は実施形態１と共通する。そのため、ここでは、実施形態２における選択ルールについて特に説明する。
【００４４】
本実施形態に係るネイルデザイン方法において、カラー選択ステップ（Ｓ２、Ｓ３）では、補色色相配色の選択ルールに基づいて複数のネイルカラーを選択する。この補色色相配色の選択ルールは、図７に示すように、１つのカラーグループの色相環内で互いに１８０度の位置関係を有するネイルカラーを選択することである。
【００４５】
図７に示す例では、グループ決定ステップで、カラーグループとしてライトトーングループ（ｌｉｇｈｔ）に決定している（Ｓ１）。次いで、カラー選択ステップとして、ライトトーングループから１つのベースカラー２０を選ぶ（Ｓ２）。次いで、補色色相配色の選択ルールに基づいて、ベースカラー２０に対する１つのサブカラー３０を選ぶ（Ｓ３）。
【００４６】
ライトトーングループの色相環において、サブカラー３０は、ベースカラー２０に対して１８０度の位置関係を有する。これらのベースカラー２０およびサブカラー３０は、ネイルカラーチャート５０では、互いに６番目の配列順に位置し、それらの間に５つの他のネイルカラーが存在する位置関係にあるネイルカラーに相当する。
【００４７】
図８に示すように、ネイル１０２には、ベースカラー２０と、ベースカラー２０の補色色相であるサブカラー３０を用いて配色デザインが形成されている。このような補色色相配色の選択ルールに基づく配色デザインは、ネイルカラー同士の色相差が大きくなるため、ダイナミックな印象やカジュアルな印象を与えるデザインとなる。なお、アクセントカラーには、ベースカラー２０に対する補色を用いることが好ましく、ベースカラー２０を美しく見せ、ひき立たせることができる。
【００４８】
（実施形態３）
図９および図１０は、本発明の実施形態３に係るネイルデザイン方法におけるカラー選択ステップを示す説明図であり、図１１は、実施形態３に係るネイルデザイン方法によりデザインされたネイルの例を示す説明図である。
【００４９】
実施形態３に係るネイルデザイン方法は、カラー選択ステップ（Ｓ２、Ｓ３）において、対照色相配色の選択ルールに基づいて複数のネイルカラーを選択する点に特徴がある。その他の構成は実施形態１および２と共通することから、ここでは、実施形態３における選択ルールについて説明する。
【００５０】
本実施形態に係るネイルデザイン方法において、対照色相配色の選択ルールは、図９および図１０に示すように、カラーグループの色相環内で互いに１２０度または１５０度の位置関係を有するネイルカラーを選択することである。
【００５１】
図９に示す例では、グループ決定ステップで、カラーグループをビビッドトーングループ（ｖｉｖｉｄ）に決定し（Ｓ１）、カラー選択ステップとして、ビビッドトーングループから１つのベースカラー２０を選び（Ｓ２）、対照色相配色の選択ルールに基づいて、ベースカラー２０に対する１つのサブカラー３０を選び出している（Ｓ３）。ビビッドトーングループの色相環において、サブカラー３０は、ベースカラー２０に対して１２０度の位置関係を有する。これらのベースカラー２０およびサブカラー３０は、ネイルカラーチャート５０では、それらの間に３つの他のネイルカラーを挟んで配置されたネイルカラーに相当する。
【００５２】
さらに、この例では、サブカラー３０より明度を上げたネイルカラーを、このサブカラー３０に対するペアカラー３３としている。これにより、ベースカラー２０、サブカラー３０、およびペアカラー３３の３つのネイルカラーを用いて配色デザインを構成する。
【００５３】
また、図１０に示す例では、カラーグループとしてソフトトーングループ（ｓｏｆｔ）を選択し（Ｓ１）、カラー選択ステップで、ソフトトーングループから１つのベースカラー２０を選び（Ｓ２）、対照色相配色の選択ルールに基づいて、ベースカラー２０に対する１つのサブカラー３０を選び出している（Ｓ３）。
【００５４】
ソフトトーングループの色相環において、サブカラー３０は、ベースカラー２０に対して１５０度の位置関係を有する。これらのベースカラー２０およびサブカラー３０は、ネイルカラーチャート５０では、それらの間に４つの他のネイルカラーを挟んで配置されたネイルカラーに相当する。さらに、この例では、サブカラー３０より明度を下げたネイルカラーを、このサブカラー３０に対するペアカラー３３とし、これらの３つのネイルカラーにより配色デザインを構成する。
【００５５】
このように決定されたベースカラー２０、サブカラー３０およびペアカラー３３により、図１１に示すようなネイルデザインにおける、対照色相配色の配色デザインを構成することができる。ネイル１０３には、ネイルデザインのベースとなるベースカラー２０と、ベースカラー２０の対照色相であるサブカラー３０およびペアカラー３３を用いて配色デザインが施されている。この対照色相配色の選択ルールに基づく配色デザインは、補色色相に比べて、ベースカラー２０とサブカラー３０との色相同士の距離が近く、豊富なバリエーションのデザインにより構成することができる。そのため、繰り返しネイル施術を行っているゲストであっても飽きさせないようなネイルデザインを提供することができる。
【００５６】
（実施形態４）
図１２〜図１４は、本発明の実施形態４に係るネイルデザイン方法におけるカラー選択ステップをそれぞれ示す説明図であり、図１５は、実施形態４に係るネイルデザイン方法によりデザインされたネイルの例を示す説明図である。
【００５７】
実施形態４に係るネイルデザイン方法は、カラー選択ステップにおいて、マルチカラー配色の選択ルールに基づいて複数のネイルカラーを選択する点に特徴がある。その他の構成は実施形態１ないし３と共通することから、ここでは、実施形態４における選択ルールについて説明する。
【００５８】
本実施形態に係るネイルデザイン方法において、マルチカラー配色の選択ルールは、１つのカラーグループの中から３つ以上のネイルカラーを選択するものであり、その選択されるネイルカラーは、カラーグループの色相環内で正多角形の頂点に位置している。
【００５９】
図１２に示す例では、グループ決定ステップで、カラーグループをブライトトーングループ（ｂｒｉｇｈｔ）に決定している（Ｓ１）。次いで、カラー選択ステップとして、１つのベースカラー２０を選び（Ｓ２）、ブライトトーングループからマルチカラー配色の選択ルールに基づき、ベースカラー２０に対する２つのサブカラー３０を選択する。
【００６０】
ブライトトーングループの色相環において、これらのベースカラー２０およびサブカラー３０は、正三角形の頂点に位置する関係性を有している（トライアド）。さらに、この例では、２つのサブカラー３０について、それぞれ明度を上げたネイルカラーをサブカラー３０に対するペアカラー３３としている。これらの５つのネイルカラーによって配色デザインが構成される。
【００６１】
図１３に示す例では、グループ決定ステップで、カラーグループをソフトトーングループ（ｓｏｆｔ）に決定し（Ｓ１）、カラー選択ステップで、ソフトトーングループから１つのベースカラー２０を選び（Ｓ２）、マルチカラー配色の選択ルールに基づいて、ベースカラー２０に対する３つのサブカラー３０を選ぶ（Ｓ３）。
【００６２】
ソフトトーングループの色相環において、これらのベースカラー２０およびサブカラー３０は、正方形の頂点に位置する関係性を有している（テトラード）。さらに、この例では、３つのサブカラー３０のうちの１つについて、明度を上げたネイルカラーを、このサブカラー３０に対するペアカラー３３としている。
【００６３】
また、図１４に示す例では、グループ決定ステップで、カラーグループをディープトーングループ（ｄｅｅｐ）に決定し（Ｓ１）、カラー選択ステップとして、ディープトーングループから１つのベースカラー２０を選び出し（Ｓ２）、マルチカラー配色の選択ルールに基づいて、ベースカラー２０に対する４つのサブカラー３０を選び出す（Ｓ３）。
【００６４】
ディープトーングループの色相環において、これらのベースカラー２０およびサブカラー３０は、正五角形の頂点に位置する関係性を有している（ペンタード）。さらに、この例では、４つのサブカラー３０のうちの１つについて、明度を下げたネイルカラーを、このサブカラー３０に対するペアカラー３３として選択している。これにより、６つのネイルカラーにより配色デザインが構成される。
【００６５】
このように決定されたベースカラー２０、サブカラー３０およびペアカラー３３は、図１５に示すように、マルチカラー配色の配色デザインのネイルデザインを構成する。ネイル１０４には、３つ以上のネイルカラーを用いて配色デザインが施され、アクセントカラー４０および装飾パーツ６０を含めてネイルデザインが構成されている。マルチカラー配色の選択ルールに基づく配色デザインは、ネイルカラーの選択肢が多く自由度が高いことから、豊富なバリエーションにより構成することができ、繰り返しネイル施術を行うゲストを飽きさせないようにすることができる。
【００６６】
また、このように３つ以上のネイルカラーを含む配色デザインであっても、１つのカラーグループから選択した統一されたトーンのベースカラー２０とサブカラー３０とを用いているので、まとまりがあり美しいネイルデザインを形成することができる。サブカラー３０に対して選択するペアカラー３３は、マルチカラー配色の配色デザインにあってネイルカラー同士を繋ぐ作用をなし、バランスが良くまとまりのある美しい印象の配色デザインを形成することが可能となる。
【００６７】
以上説明したように、本発明に係るネイルデザイン方法は、トップネイリストのネイルデザイン手法を分析することにより構成されたものであり、どのようなネイリストであっても、短期間でトップネイリストのような支持される配色デザインを形成することができ、多くのゲストに高い満足感を提供することが可能となる。また、豊富な経験や感性などに依ることなく、また、ネイル施術の際に、試行錯誤したり検討したりする時間を要することなく、複数のネイルカラーを組み合わせた配色デザインの多様なネイルデザインを容易に形成することが可能となる。
【００６８】
なお、前記実施形態に係るネイルデザイン方法では、ネイル施術としてジェルネイル剤を用いてゲストの手または足の爪にネイル施術するときの配色デザインのネイルデザイン方法について説明したが、本発明はこれに限定されるものではなく、どのようなネイル剤を用いたどのようなネイルデザインにも適用することが可能である。また、塗布するネイルカラーが属するカラーグループを決定するグループ決定ステップと、前記カラーグループから複数のネイルカラーを選び出すカラー選択ステップとを含む構成であれば、ベースカラー２０を先に決定し、それに基づきカラーグループを決定し、次いで選択ルールに基づいてサブカラー３０を選ぶように構成されてもよい。
【００６９】
前記ネイルデザイン方法に用いるネイルカラーチャートの構成、カラーグループの構成、および前記ネイルデザイン方法により形成されたネイル等はその一例であって、他の様々な構成により実施することが可能である。すなわち、前記の実施形態に示す構成は本発明の例示であるに過ぎず、本発明は他の様々な形態により実施することができる。本発明は、請求項に示される範囲で種々の変更が可能であり、異なる実施形態に開示された技術的手段を適宜組み合わせて得られる実施形態についても本発明の技術的範囲に含まれる。
【産業上の利用可能性】
【００７０】
本発明は、爪を装飾するジェルネイル等のネイル施術において好適に利用可能である。
【符号の説明】
【００７１】
１０１〜１０４  ネイル
２０  ベースカラー
３０  サブカラー
３１  第１のサブカラー
３２  第２のサブカラー
３３  ペアカラー
４０  アクセントカラー
５０  ネイルカラーチャート
５１  シート
６０  装飾パーツ
【図１】
2020191997.tif 000003
【図２】
2020191997.tif 000004
【図３】
2020191997.tif 000005
【図４】
2020191997.tif 000006
【図５】
2020191997.tif 000007
【図６】
2020191997.tif 000008
【図７】
2020191997.tif 000009
【図８】
2020191997.tif 000010
【図９】
2020191997.tif 000011
【図１０】
2020191997.tif 000012
【図１１】
2020191997.tif 000013
【図１２】
2020191997.tif 000014
【図１３】
2020191997.tif 000015
【図１４】
2020191997.tif 000016
【図１５】
2020191997.tif 000017